(57)【特許請求の範囲】
【請求項１】
四足動物に着用させるための動物用コルセットであって、
背中に宛がうためのコルセット本体と、左後足の付根前方から内股側を通って臀部へ回りコルセット本体の上面に固着される左後足ベルトと、右後足の付根前方から内股側を通って臀部へ回りコルセット本体の上面に固着される右後足ベルトとを備え、
左後足ベルト及び右後足ベルトの先端を着脱自在に固着するためのベルト固着部がコルセット本体の上面における前後方向に沿った所定範囲に亘って設けられ、
左後足ベルト及び右後足ベルトをそれぞれ独立して通すためのベルトループがコルセット本体におけるベルト固着部よりも後方に設けられ、左後足ベルトと右後足ベルトがベルトループよりも前方となる部分で互いに連結されるとともに、
コルセット本体における前後方向に沿って棒状ステーが取り付けられて、
棒状ステーがコルセット本体における中心線を挟んで対となる箇所に配された
ことを特徴とする動物用コルセット。
【請求項２】
ベルト固着部が面ファスナーである請求項１記載の動物用コルセット。
【発明の詳細な説明】
【技術分野】
【０００１】
本発明は、四足歩行を行う動物の脊椎の動きを規制して安定させるための動物用コルセットに関する。
【背景技術】
【０００２】
ダックスフントやコーギーなど、胴が長く足の短い犬種や、ゴールデンレトリバーなど、体重の重い犬種は、椎間板ヘルニアになりやすい傾向にある。この椎間板ヘルニアを悪化させると、神経が圧迫されて激しい痛みを生じたり、後足が麻痺したりするなどの症状が出るおそれがある。椎間板ヘルニアの症状が出た犬若しくはその兆しのある犬は、脊椎の動きを規制するために、２〜４週間、ケージの中で運動制限が行われる。飼い主が犬を扱う際は、脊椎に負担をかけないように、脊椎を支えなければならない。このため、犬に動物用コルセットを着用させ、脊椎の動きを規制して安定させることも行われている。
【０００３】
動物用コルセットは、これまでに種々のものが提案されている。例えば、特許文献１には、動物の腹部、背部、骨盤部を覆って筒状にされるシート状のコルセット本体を備え、コルセット本体の両端部を着脱自在に連結する連結部と、動物の前足を受け入れる前足受入れ部と、動物の背骨に沿うようにほぼ前端部から後端部に至って矯正用心材とがコルセット本体に設けられたことを特徴とする動物用コルセットが提案されている。
【０００４】
特許文献１の動物用コルセットは、簡単な操作で動物に容易に装着できるだけでなく、矯正用心材によって、動物の胸椎、腰椎、骨盤の動きを制限したり歪みの矯正を行うことのできるものではあったが、以下のような課題があった。すなわち、椎間板ヘルニアなどによって後足が麻痺した犬は、腰部が沈み込んでしまい、起立動作や歩行動作を満足に行えないのが通常であるが、特許文献１の動物用コルセットでは、起立動作や歩行動作をサポートすることはできなかった。
【０００５】
【特許文献１】特開２００７−２９６３０９号公報
【発明の開示】
【発明が解決しようとする課題】
【０００６】
本発明は、上記課題を解決するためになされたものであり、それを着用した四足動物の脊椎の動きを規制して安定させるだけでなく、その四足動物の腰部を浮かせた状態で保つことも可能であり、後足の麻痺などが原因で腰部が沈んでしまった四足動物の腰部を浮かせて、その起立動作や歩行動作を助けることのできる動物用コルセットを提供するものである。
【課題を解決するための手段】
【０００７】
上記課題は、四足動物に着用させるための動物用コルセットであって、背中に宛がうためのコルセット本体と、左後足の付根前方から内股側を通って臀部へ回りコルセット本体の上面に固着される左後足ベルトと、右後足の付根前方から内股側を通って臀部へ回りコルセット本体の上面に固着される右後足ベルトとを備え、左後足ベルト及び右後足ベルトの先端を着脱自在に固着するためのベルト固着部がコルセット本体の上面における前後方向に沿った所定範囲に亘って設けられていることを特徴とする動物用コルセットを提供することによって解決される。
【０００８】
この動物用コルセットは、左後足ベルト及び右後足ベルトの先端を前方に引っ張った状態でコルセット本体におけるベルト固着部に固着することにより、それを着用した四足動物の腰部を浮かせた状態で保つことの可能なものとなっている。したがって、それを着用した四足動物の脊椎の動きを規制して安定させるだけでなく、後足の麻痺などが原因で腰部が沈んでしまった四足動物の腰部を浮かせて、その起立動作や歩行動作を助けることもできるものとなっている。
【０００９】
コルセット本体における前後方向に沿って棒状ステーが取り付けられていると好ましい。これにより、動物用コルセットを着用した四足動物の脊椎の動きをさらに確実に規制することが可能になる。棒状ステーを配する箇所は、とくに限定されないが、コルセット本体における中心線を挟んで対となる箇所に配されていると好ましい。これにより、動物用コルセットを着用した四足動物の脊椎を両側から支持することが可能となり、動物用コルセットを着用したことによる違和感を軽減することが可能になる。
【００１０】
左後足ベルト及び右後足ベルトをそれぞれ独立して通すためのベルトループがコルセット本体におけるベルト固着部よりも後方に設けられ、左後足ベルトと右後足ベルトがベルトループよりも前方となる部分で互いに連結されていることも好ましい。これにより、動物用コルセットにおける左後足ベルト及び右後足ベルトの操作を容易に行うことが可能になる。
【００１１】
ベルト固着部は、左後足ベルト及び右後足ベルトの先端を固定できるものであればとくに限定されないが、面ファスナーであると好ましい。これにより、左後足ベルト及び右後足ベルトの先端をベルト固着部における任意の箇所に固着することが可能になる。したがって、左後足ベルト及び右後足ベルトの先端を固着する箇所を、動物用コルセットを着用する四足動物の体形や症状などに応じて細かく調節することも可能になる。
【発明の効果】
【００１２】
以上のように、本発明によって、それを着用した四足動物の脊椎の動きを規制して安定させるだけでなく、その四足動物の腰部を浮かせた状態で保つことも可能であり、後足の麻痺などが原因で腰部が沈んでしまった四足動物の腰部を浮かせて、その起立動作や歩行動作を助けることのできる動物用コルセットを提供することが可能になる。
【発明を実施するための最良の形態】
【００１３】
本発明の動物用コルセットについて、図面を用いてより具体的に説明する。図１は、本発明の動物用コルセット１０を展開した状態を示した平面図である。図２は、本発明の動物用コルセット１０を着用した犬２０（四足動物）を左前方から見た状態を示した図である。図３は、本発明の動物用コルセット１０を着用した犬２０（四足動物）を左後方から見た状態を示した図である。図４は、本発明の動物用コルセット１０を着用した犬２０（四足動物）を後方から見た状態を示した図である。図５は、本発明の動物用コルセット１０にリード３０を取り付けて犬２０（四足動物）を歩行させている状態を示した図である。以下においては、説明の便宜上、本発明の動物用コルセット１０を犬用（ミニチュアダックスフント用）のものとして説明する。
【００１４】
本実施態様の動物用コルセット１０は、図２〜図４に示すように、四足動物２０に着用させるためのものとなっており、犬２０の背中に宛がうためのコルセット本体１１と、犬２０の左後足２１を通すループを形成するための左後足ベルト１２aと、犬２０の右後足２２を通すループを形成するための右後足ベルト１２ｂとを備えたものとなっている。コルセット本体１１の上面における前後方向に沿った所定範囲には、図１に示すように、左後足ベルト１２ａ及び右後足ベルト１２ｂの先端を着脱自在に固着するためのベルト固着部１３が設けられている。
【００１５】
左後足ベルト１２ａは、図２〜図４に示すように、コルセット本体１１における犬２０の左後足２１の付根前方となる部分を始点として、左後足２１の内股側を通り、左後足２１と尾２３の間から臀部へと回り、その先端をコルセット本体１１の上面に着脱自在に固着することができるようになっている。一方、右後足ベルト１２ｂは、コルセット本体１１における犬２０の右後足２２の付根前方となる部分を始点として、右後足２２の内股側を通り、右後足２２と尾２３の間から臀部へと回り、その先端をコルセット本体１１の上面に着脱自在に固着することができるようになっている。このため、動物用コルセット１０は、犬２０の左後足２１の周辺と右後足２２の周辺とで留めることができる構造となっている。
【００１６】
本実施態様の動物用コルセット１０においては、図１に示すように、左後足ベルト１２ａ及び右後足ベルト１２ｂをそれぞれ独立して通すためのベルトループ（左側ベルトループ１４ａ及び右側ベルトループ１４ｂ）がコルセット本体１１におけるベルト固着部１３よりも後方に設けられている。このため、左後足ベルト１２ａ及び右後足ベルト１２ｂが捩れたり、折れ曲がったりできないようになっており、左後足ベルト１２ａ及び右後足ベルト１２ｂの先端を固着する位置を変化させても、犬２０の臀部に適切な方向の力が加えられるようになっている。
【００１７】
左後足ベルト１２aと右後足ベルト１２ｂは、図１に示すように、ベルトループ（左側ベルトループ１４ａ及び右側ベルトループ１４ｂ）よりも前方となる部分で互いに連結されている。このため、左後足ベルト１２ａ及び右後足ベルト１２ｂの先端を一度に引っ張ることができるようになっている。また、左後足ベルト１２ａ及び右後足ベルト１２ｂの先端がベルト固着部１３から外れた場合であっても、左後足ベルト１２ａ及び右後足ベルト１２ｂの先端がベルトループに引っかかるようになっており、左後足ベルト１２ａで形成されたループと右後足ベルト１２ｂで形成されたループが解けないようになっている。
【００１８】
左後足ベルト１２ａと右後足ベルト１２ｂの長さは、動物用コルセット１０を着用する動物の種類などによっても異なり、とくに限定されない。動物用コルセット１０を犬２０に容易に着用させることができるものとするためには、左後足ベルト１２ａ及び右後足ベルト１２ｂの先端をベルト固着部１３における最後尾に固着した際に、犬２０の左後足２１と右後足２２を、左後足ベルト１２ａで形成されるループと、右後足ベルト１２ｂで形成されるループとにそれぞれ余裕をもって通すことのできる長さに設定しておくと好ましい。
【００１９】
ベルト固着部１３は、左後足ベルト１２ａ及び右後足ベルト１２ｂの先端を固着できるものであればとくに限定されない。ベルト固着部１３は、スナップなどの留め具であってもよいが、本実施態様の動物用コルセット１０においては、面ファスナとしている。左後足ベルト１２ａ及び右後足ベルト１２ｂの先端にも、ベルト固着部１３に貼り付くことのできる面ファスナを設けている。このベルト固着部１３をコルセット本体１１における前後方向に沿った所定範囲に設けており、左後足ベルト１２ａ及び右後足ベルト１２ｂの先端を固着する位置を前後方向で調節することができるようにしている。
【００２０】
ベルト固着部１３の前後方向に沿った長さは、動物用コルセット１０を着用する動物の種類などによっても異なり、とくに限定されない。しかし、ベルト固着部１３の前後方向に沿った長さが短すぎると、左後足ベルト１２ａと右後足ベルト１２ｂで形成されるループの大きさを調節できなくなるばかりか、犬２０の臀部を浮かせた状態に保つことができなくなるおそれもある。このため、ベルト固着部１３の前後方向に沿った長さは、通常、５ｃｍ以上とされる。ベルト固着部１３の前後方向に沿った長さは、１０ｃｍ以上であると好ましく、１５ｃｍ以上であるとより好ましい。
【００２１】
一方、ベルト固着部１３の前後方向に沿った長さは、あまり長くしすぎても意味がないので、通常、３０ｃｍ以下とされる。本実施態様の動物用コルセット１０は、標準的なサイズのミニチュアダックスフント（成犬）に着用させるためのものとなっているが、ベルト固着部１３の前後方向に沿った長さは、約２０ｃｍとしている。
【００２２】
また、本実施態様の動物用コルセット１０においては、図１に示すように、コルセット本体１１における前後方向に沿って、棒状ステー（左側棒状ステー１７ａ及び右側棒状ステー１７ｂ）を取り付けている。棒状ステーの取付方法は、とくに限定されないが、本実施態様の動物用コルセット１０においては、コルセット本体１１に縫い付けている。棒状ステーは、外部に露出しないように、ベルト固着部１３で覆っている。
【００２３】
棒状ステー（左側棒状ステー１７ａ及び右側棒状ステー１７ｂ）の素材は、動物用コルセット１０を着用する動物の種類などによっても異なり、とくに限定されないが、通常、プラスチックや金属などが採用される。本実施態様の動物用コルセット１０においては、軽量で強度に優れたポリプロピレンによって棒状ステーを形成している。
【００２４】
棒状ステーは、犬２０の脊椎における所望の箇所の動きを規制できるのであれば、その本数や配置はとくに限定されない。本実施態様の動物用コルセット１０においては、２本の棒状ステー（左側棒状ステー１７ａ及び右側棒状ステー１７ｂ）を平行に配している。左側棒状ステー１７ａと右側棒状ステー１７ｂは、コルセット本体１１における中心線（犬２０の脊椎に重なる線）を挟んで対となる箇所に配されている。このため、犬２０の脊椎を左右両側から支持することが可能となっている。
【００２５】
棒状ステー（左側棒状ステー１７ａ及び右側棒状ステー１７ｂ）の長さは、動物用コルセット１０を着用する動物の種類などによっても異なり、とくに限定されない。しかし、棒状ステーを短くしすぎると、動物の脊椎を支持できなくなるおそれがあるし、長くしすぎても意味がない。このため、棒状ステーの長さは、通常、動物用コルセット１０を着用する動物の脊椎の長さの２５％（標準的なサイズのミニチュアダックスフント（成犬）の場合で約１０ｃｍ）〜１００％（標準的なサイズのミニチュアダックスフント（成犬）の場合で約４０ｃｍ）とされる。本実施態様の動物用コルセット１０において、棒状ステーの長さは、標準的なサイズのミニチュアダックスフントの脊椎の長さの５０％（約２０ｃｍ）としている。
【００２６】
ところで、本実施態様の動物用コルセット１０においては、図１〜図４に示すように、犬２０の首２４を通すループを形成するための首ベルト（左側首ベルト１５ａ及び右側首ベルト１５ｂ）をコルセット本体１１の前端部に設けている。また、犬２０の胴２５を通すループを形成するための胴ベルト（左側胴ベルト１６ａ及び右側胴ベルト１６ｂ）をコルセット本体１１の左側端部と右側端部に設けている。このため、本実施態様の動物用コルセット１０は、犬２０の左後足２１の周辺と右後足２２の周辺だけでなく、首２４の周辺と胴２５の周辺でも留めることができるようになっている。したがって、犬２０が激しく動いても、コルセット本体１１の位置がずれにくいにようになっている。
【００２７】
また、本実施態様の動物用コルセット１０においては、図１に示すように、リード取付部１８を設けており、リードを取り付けることができるようになっている。リード取付部１８を設ける場所は、とくに限定されないが、本実施態様の動物用コルセット１０においては、コルセット本体１１におけるベルト固着部１３の前端部と、左後足ベルト１２ａの付根周辺と、右後足ベルト１２ｂの付根周辺の計３箇所に設けている。このため、図５に示すように、動物用コルセット１０をハーネスとして利用することも可能となっている。
【００２８】
本発明の動物用コルセット１０は、各種の四足動物に対して用いることができるが、哺乳類に対して好適に用いることができる。なかでも、犬や猫など、比較的小型な四足動物に対して好適に用いることができる。とくに、ダックスフント、コーギーなど、胴が長く足の短い犬種や、ゴールデンレトリバーなど、体重の重い犬種は、椎間板ヘルニアになりやすい傾向にあり、後足に麻痺症状がでやすい傾向にあるために、本発明の動物用コルセットに対する需要も大きい。
【図面の簡単な説明】
【００２９】
【図１】本発明の動物用コルセットを展開した状態を示した平面図である。
【図２】本発明の動物用コルセットを着用した犬（四足動物）を左前方から見た状態を示した図である。
【図３】本発明の動物用コルセットを着用した犬（四足動物）を左後方から見た状態を示した図である。
【図４】本発明の動物用コルセットを着用した犬（四足動物）を後方から見た状態を示した図である。
【図５】本発明の動物用コルセットにリードを取り付けて犬（四足動物）を歩行させている状態を示した図である。
【符号の説明】
【００３０】
１０    動物用コルセット
１１    コルセット本体
１２ａ  左後足ベルト（足ベルト）
１２ｂ  右後足ベルト（足ベルト）
１３    ベルト固着部
１４ａ  左側ベルトループ（ベルトループ）
１４ｂ  右側ベルトループ（ベルトループ）
１５ａ  左側首ベルト（首ベルト）
１５ｂ  右側首ベルト（首ベルト）
１６ａ  左側胴ベルト（胴ベルト）
１６ｂ  右側胴ベルト（胴ベルト）
１７ａ  左側棒状ステー（棒状ステー）
１７ｂ  右側棒状ステー（棒状ステー）
１８    リード取付部
２０    犬（四足動物）
２１    左後足
２２    右後足
２３    尾
２４    首
３０    リード
【図１】
0004920606.tif 000002
【図２】
0004920606.tif 000003
【図３】
0004920606.tif 000004
【図４】
0004920606.tif 000005
【図５】
0004920606.tif 000006